(57)【特許請求の範囲】
【請求項１】
１個または複数個一組として車椅子などの上り下りに用いられるスロープ体を、玄関土間部に埋め込み状態で備えられる上面開口の平箱体よりなる収納凹部内に略収め入れの状態で、上り框の側に向けて傾斜立上げ状態となるように一端側で回動可能に組み付けてあると共に、該スロープ体を、その傾斜立上げ状態に維持する支持手段を備えていることを特徴とする玄関スロープ。
【請求項２】
玄関土間部に設けられている収納凹部内に収め入れられるスロープ体が、この収納凹部内に収め入れの状態における上面を、玄関土間の土間面と略面一となるように構成してあることを特徴とする請求項１記載の玄関スロープ。
【請求項３】
玄関土間部に設けられている収納凹部内に収め入れられるスロープ体が、この収納凹部内に収め入れの状態における上面側に、玄関土間部の土間面の化粧手段と同一の化粧手段を備えていることを特徴とする請求項１記載の玄関スロープ。
【発明の詳細な説明】
【０００１】
【発明の属する技術分野】
この発明は、玄関口に備えられて車椅子の上り下りなどに用いられるスロープの提供に関する。
【０００２】
【従来の技術】
玄関口から車椅子によって家屋内に出入りする場合、玄関土間と廊下床面との間に備えられている段差が、その円滑な出入りに際しての障碍となる不都合があった。
【０００３】
反面、かかる段差を無くして、玄関土間と、廊下床面とを面一となるように構成した場合、外部からの塵芥などが居住空間内にもたらされ易く、また、玄関口における外観を損うなどの不都合があった。
【０００４】
かかる点から、車椅子などによる出入りに際して必要とされるスロープ手段を別段に用意し、これを必要に応じて玄関の上り框の前面側に備えつけ用いると共に、これを必要としない場合には、取り外して物置などに保管することが試みられていた。
【０００５】
【発明が解決しようとする課題】
しかしながら、車椅子などによる玄関口からの出入りに際して、逐一、これに必要とされるスロープ手段を物置などから運び込み設置することは、これに用いられるスロープ手段が、相当の嵩張りを有し、しかも重量物として構成されていることが多いことから、その取扱いに多くの労力を要すると共に、これを保管する為の比較的大きな空間を必要とするなどの不都合があった。
【０００６】
また、車椅子などの上り下りに用いられるスロープ手段は、これを、その設置面に対して固定状態で用いることを要請される場合が多く、玄関土間に運び込まれたスロープ手段を、この玄関土間部に固定する操作を別段に施すことが要請される場合があった。
【０００７】
この発明は、かかる従来の玄関口における車椅子などの出入りに際しての不都合を解消し、玄関口の外観を損うことなしに、玄関土間部分にスロープを備えつけ、これを、必要に際して、容易に取り出し用い得るようになすと共に、これが不要な際には、玄関土間部内に容易に収め入れ得るようにした玄関スロープの提供に関する。
【０００８】
【課題を解決するための手段】
この発明に係る玄関スロープは、前記の目的を達成するために、請求項１記載の発明に係る玄関スロープを、１個または複数個一組として車椅子などの上り下りに用いられるスロープ体を、玄関土間部に埋め込み状態で備えられる上面開口の平箱体よりなる収納凹部内に略収め入れの状態で、上り框の側に向けて傾斜立上げ状態となるように一端側で回動可能に組み付けてあると共に、該スロープ体を、その傾斜立上げ状態に維持する支持手段を備えている構成としてある。
【０００９】
このように構成される玄関スロープにあっては、この玄関スロープを必要とする際に、スロープ体を玄関土間部に設けた収納凹部から回動状態に引き出し、車椅子などの上り下りを可能とする傾斜立上げ状態に該スロープ体を支持して用いることができる。
また、このように構成される玄関スロープにあっては、玄関土間部に対する玄関スロープの設置を、平箱体の備えつけによって容易になすことができる。
【００１０】
また、かかる玄関スロープを必要としない際には、このスロープ体を玄関土間部に設けた収納凹部内に回動状態に収め入れ、玄関口を、すっきりとした形態として用いることができる。
【００１１】
次いで、請求項２の発明に係る玄関スロープを、前記請求項１記載の発明に係る玄関スロープにおいて、玄関土間部に設けられている収納凹部内に収め入れられるスロープ体が、この収納凹部内に収め入れの状態における上面を、玄関土間の土間面と略面一となるように構成してある。
【００１２】
このように構成される玄関スロープにあっては、この玄関スロープを構成するスロープ体を、玄関土間部内に収め入れた際に、この玄関土間面に何等の段差を生ずることがなく、玄関土間面が快適な動作面とされると共に外観の整った玄関土間面を構成することができる。
【００１３】
さらに、前記目的を達成するために、請求項３記載の発明に係る玄関スロープを、前記請求項１記載の発明に係る玄関スロープにおいて、玄関土間部に設けられている収納凹部内に収め入れられるスロープ体が、この収納凹部内に収め入れの状態における上面側に、玄関土間部の土間面の化粧手段と同一の化粧手段を備えている構成としてある。
【００１４】
このように構成される玄関スロープにあっては、この玄関スロープを構成するスロープ体を、玄関土間部内に収め入れた際に、この玄関土間面の化粧と、このスロープ体の上面化粧とが一連の連続したものとして構成され、玄関土間面における化粧性が良好とされる。
【００１７】
【発明の実施の形態】
以下、本発明に係る玄関スロープの典型的な各実施の形態について詳細に説明する。
【００１８】
図１は、この典型的な実施の形態に係る玄関スロープＳを備えた玄関の主要部分の断面図、図２は、玄関スロープＳを傾斜立上げ状態として用いる状態の要部を、図３は、この玄関スロープＳを玄関土間部内に収め入れた状態の要部を夫々断面図として示している。
【００１９】
図４は、車椅子Ｃの上り下りに用いられる２個一組みで用いられるスロープ体１０を備えた玄関スロープＳを、車椅子の上り下りに用いられる状態として、これを斜視図で示しており、図５は、玄関土間に収め入れた状態として、これを平面図として示している。
【００２０】
図６及び図７は、この玄関スロープＳの取り出し、及び収め入れ動作を、図６では、これを取り出して傾斜立上げ状態に支持している状態として、図７では、これを収納凹部内に収め入れている状態として、夫々を断面図で示している。
【００２１】
図８は、この玄関スロープＳの各構成主要部品を分離した状態で、図９では、これを組み付けた状態で、夫々斜視図として示しており、図１０は、スロープ体１０を、これに取付けられている支持手段の側から斜視図として示している。
また、図１１は、玄関スロープＳの構成部品、特に、スロープ体１０の回動組み付け部分の要部を縦方向で断面し、図１２では、これを水平方向で断面することで示してある。
【００２２】
先ず、この実施の形態に係る玄関スロープＳは、１個または複数個一組として車椅子Ｃなどの上り下りに用いられるスロープ体１０を、玄関土間部Ａに設けられている収納凹部Ｂ内に略収め入れの状態で、上り框４１の側に向けて傾斜立上げ状態となるように一端側で回動可能に組み付けてあると共に、該スロープ体１０を、その傾斜立上げ状態に維持する支持手段２０を備えている構成としている。
【００２３】
このように構成される玄関スロープＳにあっては、この玄関スロープＳを必要とする際に、スロープ体１０を玄関土間部Ａに設けた収納凹部Ｂから回動状態に引き出し、車椅子Ｃなどの上り下りを可能とする傾斜立上げ状態に該スロープ体１０を支持して用いることができる。
【００２４】
また、かかる玄関スロープＳを必要としない際には、このスロープ体１０を玄関土間部Ａに設けた収納凹部Ｂ内に回動状態に収め入れ、玄関口を、すっきりとした形態として用いることができる。
【００２５】
かかる玄関スロープＳは、所謂玄関土間部Ａに備えられるものであって、図１は、かかる玄関スロープＳの備えつけられる最も典型的な玄関構造の一例を示している。
【００２６】
ここで玄関土間部Ａに備えられる玄関スロープＳは、これを用いて、玄関土間部Ａから廊下などの床４０に対して上り下りする手段として構成されるものであって、この車椅子Ｃの各車輪Ｃａ、Ｃｂを、各別に案内する２個（またはそれ以上）のスロープ体１０、１０を、所定の間隔を離して設けることで、この玄関土間部Ａに玄関スロープＳを構成し、又は、この車椅子Ｃの各車輪Ｃａ、Ｃａを玄関土間部Ａに備えられた１個のスロープ体１０によって案内するように玄関スロープＳを構成する。
【００２７】
この図示例にあっては、この典型的な実施例の一つとして、２個のスロープ体１０、１０を備えた玄関スロープＳについて説明する。
【００２８】
この典型的な玄関口における玄関土間部Ａは、割ぐり石５１上に土間コンクリート５２を打設し、これにタイル５３を下地材としてのモルタル５４上に張設して構成してある。
【００２９】
また、この玄関土間部Ａから一段、立上げの状態で構成される床４０は、コンクリート基礎５５上に備えられた土台４２に根太４３を配して、これに床板４４を張り込んで構成してあり、その前端部分に上り框４１を備えた構成としてある。
【００３０】
尚、この玄関口にあって、外壁６１に設けられた出入口開口部６０には玄関戸６２が備えてあると共に、野縁６３によって、各天井板６４が張り設けた構成としてある。
尚、図中６５は壁６６に備えられた手摺を示している。
【００３１】
かかる玄関口、特に玄関土間部Ａに備えられる玄関スロープＳは、この玄関土間部Ａに対して埋設状態に備えられて、この玄関土間部Ａに収納凹部Ｂを構成する上面開口の平箱体３０と、この平箱体３０内に収め入れられると共に、上り框４１の側に向けて傾斜立上げ状態となるように、この平箱体３０の一端側で、回動可能に組み付けられるスロープ体１０と、このスロープ体１０を、その傾斜立上げ状態に維持する支持手段２０とによって構成してあり、このスロープ体１０を、玄関土間部Ａのなす面、この実施例にあっては、タイル５３の面と面一の状態から、これを回動立上げることによって、車椅子Ｃなどが、玄関土間部Ａから上り框４１を介して床４０面上に乗り上げ、あるいは、これと逆に、床４０面から、上り框４１を介して玄関土間部Ｂに降りることのできる傾斜状態として用い得る構成としてある。
【００３２】
即ち、この実施の形態に係る玄関スロープＳにあっては、スロープ体１０を備えた平箱体３０を、上り框４１の前方にある玄関土間部Ａに対して、このスロープ体１０の回動組み付け側を、この上り框４１と反対の側にあるようにして備えつけ、しかも、この平箱体３０に備えられているスロープ体１０が、回動立上げられた際に、このスロープ体１０を利用して、玄関土間部Ａから床４０面上に、又は、この床４０面から、玄関土間部Ａに向けて車椅子Ｃなどが上り下り可能とされるように、このスロープ体１０の先端側を、上り框４１に近接し、しかも、この上り下りに適する勾配となるように備えつける構成としてある。
【００３３】
ここで用いられる上面開口の平箱体３０は、これに収め入れるスロープ体１０を回動可能に組み付け、しかも、このスロープ体１０を傾斜状態に支承できる強度を備えたものとして構成され、例えば、ステンレススチールなどの錆び難い素材などで構成できると共に、アルミ材、プラスチック材、繊維強化プラスチック材、繊維強化コンクリート材などの適宜の素材によって構成することができる。
【００３４】
この平箱体３０は、この実施例にあっては、長方形の底板部３０ａと、この底板部３０ａの各辺から起立された各側板部、即ち、長辺側から起立されている一対の側板部３０ｂと、短辺側から起立されている一対の側板部３０ｃとによって構成してあると共に、長辺側から起立されている側板部３０ｂの一側端部側の上部に、軸３１、３１を、この軸３１が、平箱体３０の内方に突き出すように、例えば、溶接などによって止着状態に設け、短辺側から起立されている側板部３０ｃが上り框４１の前面に対して平行となるように玄関土間部Ａに備えつけ用いられる構成としてある。
【００３５】
また、この軸３１の設けられている側と反対の側にある側板部３０ｃの内側には、スロープ体１０の受け片３２が張り出し鍔状の形態に設けてあり、この受け片３２上にスロープ体１０を受け入れた際に、このスロープ体１０の上面が、この平箱体３０に対して都合良く収まり、しかも、玄関土間部Ａを構成している化粧手段としてのタイル５３の表面と、このスロープ体１０の表面化粧手段の面とが都合良く面一の状態となる構成としてある。
【００３６】
かかる受け片３２は、スロープ体１０上における歩行などに際して、このスロープ体１０にかかる荷重を確実に受けることのできる耐荷重性を備えたものとして備えつけられるものであって、これを一体として構成し、あるいは、これを別材で構成した後に、溶接、リベット、ビスなどを用いて一体に組み付けてあっても良く、例えば、平箱体３０をステンレススチールで構成してある場合には、溶接などの手法で、この側板部３０ｃに対して一体的に備えつけることが好ましい一例とされる。
又、アルミ材、プラスチック材、繊維強化プラスチック材、繊維強化コンクリート材などによって平箱体３０が構成されている場合にあっては、この受け片３２の下部に補強リブなどを設け、平箱体３０と、この受け片３２及び補強リブなどを一体に成形することが好ましい一例とされる。
【００３７】
かくして構成される受け片３２によって、この受け片３２の上方がスロープ体１０の収め入れ空間とされると共に、この受け片３２の下方が支持手段２０などの収め入れ空間として構成される。
【００３８】
また、この受け片３２の前方、即ち、平箱体３０の内側方に寄った位置の底板部３０ａに、支持手段２０の一方をなす脚受け具２２が設けてある。
【００３９】
この脚受け具２２は、スロープ体１０を傾斜立上げ状態で、その四角環状をなす脚具２１の下端水平棒部２１ａを、その両側で受け入れる２個一組みの構成としてあり、回動状態で立上げられるスロープ体１０を、目的とする傾斜角で、支持できるように、側板部３０ｂに沿った向きに、複数個の受け部２２ａが列設された構成としてある。
【００４０】
即ち、この脚受け具２２は、長方形状の取付け板部２２ｂと、この取付け板部２２ｂの長さ側の縁で折り曲げ起立された受け片部２２ｃとを備えた構成としてあり、この取付け板部２２ｂを、その長さ側を、側板部３０ｂの長さ側に沿うようにして、例えば、溶接、ビスなどの適宜の手法で底板部３０ａに止着してあり、この受け片部２２ｃの上端縁に、その長さ方向に亘て複数の係合凹部としての各受け部２２ａ〜２２ａを列設状態に設けてある。
【００４１】
かかる構成よりなる平箱体３０は、これにスロープ体１０を組み付けの状態、又は、このスロープ体１０を追って組みつける形態のものとして玄関土間部Ａの一部を構成するように、これを埋設状態に玄関土間部Ａに設け、この玄関土間部Ａに収納凹部Ｂを構成する。
【００４２】
この玄関土間部Ａに対する平箱体３０の備えつけは、この平箱体３０における受け片３２を備えた側板部３０ｃが上り框４１の前面と平行となり、しかも、この平箱体３０に収め入れたスロープ体１０を回動起立した際に、このスロープ体１０の先端が、上り框４１に突き当ることなく、この上り框４１の前方に都合良く近接して位置づけられる各条件を満たした位置に設置される。
【００４３】
かかる平箱体３０の備えつけは、より具体的には、この平箱体３０の底板部３０ａに設けた排水孔３３に連通する排水孔が、打設コンクリート部分に構成されるように、例えば、この排水孔３３から下方に突き出すように塩ビチューブなどを挿通した状態で、これを土間コンクリート５２の打設時に、この土間コンクリート５２内に備えつけ、更に、その外周を、土間コンクリート５２で覆って構成すると共に、化粧手段としてのタイル５３の上面が、この平箱体３０内に収め入れられるスロープ体１０における化粧手段としてのタイル１３の上面と面一となるように調整塗り込まれるモルタル５４と、これに張り込まれるタイル５３とによって、その外周を覆われた形態として備えつけられる。
【００４４】
次いで、前記の平箱体３０に収め入れられるスロープ体１０は、前記軸３１を溝状軸受け部１４に組み入れ、且つ、溝上端受け部１４ａで該軸３１を受けることによって、このスロープ体１０を回動可能とした状態で、相互間に隙間が極力生じない構成としてあることが好ましく、上面開口の偏平箱状基体１１内にモルタル１２を充填してタイル１３を張り設けて構成してある。
【００４５】
即ち、このスロープ体１０を構成する偏平箱状基体１１は、例えば、ステンレススチール材、アルミ材、プラスチック材、繊維強化プラスチック材、繊維強化コンクリート材、などの充分な強度を備えた素材などによって構成される長方体形状としてあり、この実施例にあっては、底板部１１ａから起立されている各側板部の向き合っている一対の側板部１１ｂ、１１ｂの一端側の外側に、その下端から上部側に向けて上部で塞がれて、溝上端受け部１４ａとされている溝状受け部１４が設けてあり、この溝状受け部１４に、前記軸３１を受け入れ、この軸３１を、この溝状受け部１４の溝上端受け部１４ａで支持するようにして、このスロープ体１０を平箱体３０に対して、回動可能に収め入れ状態に組付け得る構成としてある。
【００４６】
また、この偏平箱状基体１１の他の一対の側板部１１ｃにおける先端側にある側板部１１ｃ、即ち、前記溝状受け部１４の備えられている側と反対の側にある側板部１１ｃの内側面に、上面の一部を開口１５ａしたボックス状の把手部材１５を、この開口１５ａが、打ち込みモルタル１２上に張り込まれるタイル１３の上面と面一に構成されるように備えつけてある。
【００４７】
かかる把手部材１５は、ほゞ長方体形状のボックスとして構成してあると共に、上面板部１５ｂの一部、特に、この把手部材１５の備えつけられる側板部１１ｃと反対の側が欠設されて、手指の差し込みに用いられる開口１５ａとしてあり、この開口１５ａに連続した上面板部１５ｂが把手として機能するように構成してある。
【００４８】
かかる把手部材１５は、例えば、側板部１１ｃの略中央部分にあって、その内側に沿って、その側板部１５ｃを添装状態として、これを溶接、ビスなどの適宜の手法で止めつけ、あるいは充填モルタル１２によって固着するようにしてある。
【００４９】
また、この偏平箱状基体１１の底板部１１ａの下面側、より具体的には、前記の溝状軸受け部１４による回動状態での組み付け側と反対の側にある下面側に、一対の脚支持片２３、２３を、この各脚支持片２３、２３が、前記軸３１によるスロープ体１０の回動中心線と平行となるように設けてある。
【００５０】
この脚支持片２３は、取付け片部２３ａと、この取付け片部２３ａの一側縁から屈曲状態に起立し、しかも互に向き合って設けられる支持片部２３ｂとによって構成してあり、取付け片部２３ａを、底板部１１ａの下面に添装した状態で、溶接、ビスなど任意の手法で、この底板部１１ａに止着してある。
【００５１】
かくして構成される偏平箱状基体１１には、モルタル１２が充填され、しかも、その表面に化粧手段としてのタイル１３が備えつけられたスロープ体１０として構成される。
【００５２】
かかるスロープ体１０には、四角形の所謂、角環状枠として構成される脚具２１の上端水平棒部２１ｂを、前記支持片部２３ｂの孔２３ｂ’を挿通した態様で、この脚具２１が回動可能に備えつけられる。
【００５３】
かかるスロープ体１０に備えつけられる脚具２１は、互に平行に対設された上端水平棒部２１ｂ及び下端水平棒部２１ａと、この各棒部２１ａ、２１ｂの側端部間を連設する互に平行に向き合っている支持棒部２１ｃ、２１ｃとによって四角形の環体として構成してあり、スロープ体１０に必要とされる立上げ傾斜角をもたらすことのできる長さ寸法を、前記支持棒部２１ｃが備えた構成としてある。
【００５４】
かかる構成よりなるスロープ体１０は、その溝状軸受け部１４に、前記平箱体３０における軸３１を受け入れ、且つ、その把手部材１５の側を、前記上り框４１の側に向けて平箱体３０に組み付けることによって、このスロープ体１０は、軸３１に対する溝状軸受け部１４の溝上端受け部１４ａの当接と、スロープ体１０の先端側下面の受け片３２に対する当接とによって、この平箱体３０の構成する収納凹部Ｂ内に都合良く収め入れられると共に、このスロープ体１０上面の化粧手段であるタイル１３が、玄関土間部Ａの化粧手段であるタイル５３と面一の状態とされ、互に連続した化粧面を構成する。
【００５５】
また、かかる軸３１を、溝状軸受け部１４の溝上端受け部１４ａに当接することで一端側を支持されているスロープ体１０の他端側を持ち上げると共に、脚具２１を立上げ、これを受け部２２ａに係合することによって、このスロープ体１０を、この傾斜立上げ状態に維持することができる。尚、この脚具２１は、これを、鉛直、または、この鉛直位置より、その下端水平棒部２１ａを上り框４１の側に近づけるように傾斜した状態で、その下端水平棒部２１ａを受け部２２ａに係合することによって、よりスロープ体１０を安定に支持できる構成とすることができる。
【００５６】
かかるスロープ体１０の収納される平箱体３０にあっては、前記受け片３２の下方にスロープ体１０の出し入れに支障の無い空所が構成され、この受け片３２の下方に構成されている空間内に、前記脚受け具２２を構成すると共に、脚具２１の動作空間、及び、その収納空間として用いることができる。
【００５７】
尚、前記の各実施の形態に係る玄関スロープＳにあっては、車椅子Ｃの車輪幅に合せた位置に、一対のスロープ体１０を備えつけることによって、この各スロープ体１０の小型、軽量化を計った構成として示してあるが、このスロープ体１０を車椅子Ｃの車輪幅を備えたものとして、一個のスロープ体１０によって玄関スロープＳを構成するようにしてあっても良い。
【００５８】
このように一個のスロープ体１０によって玄関スロープＳを構成した場合、スロープ体１０の立上げ操作、あるいは収納空間に対する収め入れ操作が容易とされ、しかも、その設置コストを割安とすることができる。
【００５９】
【発明の効果】
この発明に係る玄関スロープは、前記の目的を達成するために、請求項１記載の発明に係る玄関スロープを、１個または複数個一組として車椅子などの上り下りに用いられるスロープ体を、玄関土間部に設けられている収納凹部内に略収め入れの状態で、上り框の側に向けて傾斜立上げ状態となるように一端側で回動可能に組み付けてあると共に、該スロープ体を、その傾斜立上げ状態に維持する支持手段を備えている構成としてあることによって、この玄関スロープを必要とする際に、スロープ体を玄関土間部に設けた収納凹部から回動状態に引き出し、車椅子などの上り下りを可能とする傾斜立上げ状態に該スロープ体を支持して用いることができる特長を有している。
【００６０】
また、かかる玄関スロープを必要としない際には、このスロープ体を玄関土間部に設けた収納凹部内に回動状態に収め入れ、玄関口を、すっきりとした形態として用いることができる特長を有している。
【図面の簡単な説明】
【図１】典型的な実施の形態に係る玄関スロープを備えた玄関主要部分の断面図
【図２】同玄関スロープを用いる状態で示した玄関部分の要部断面図
【図３】同玄関スロープを収め入れ状態で示した玄関部分の要部断面図
【図４】同玄関スロープの使用状態を示した要部斜視図
【図５】同玄関スロープを収め入れた状態を示した要部平面図
【図６】同玄関スロープのスロープ体を傾斜立上げた状態で示す要部断面図
【図７】同玄関スロープのスロープ体を収納空間に収め入れた状態で示す要部断面図
【図８】同玄関スロープの構成主要部品の分離斜視図
【図９】同玄関スロープの主要構成体の斜視図
【図１０】同要部斜視図
【図１１】同要部の縦断面図
【図１２】同要部の平断面図
【符号の説明】
Ａ  玄関土間部
Ｂ  収納凹部
Ｓ  玄関スロープ
１０  スロープ体
２０  支持手段
４１  上り框
【図１】
0003820305.tif 000002
【図２】
0003820305.tif 000003
【図３】
0003820305.tif 000004
【図４】
0003820305.tif 000005
【図５】
0003820305.tif 000006
【図６】
0003820305.tif 000007
【図７】
0003820305.tif 000008
【図８】
0003820305.tif 000009
【図９】
0003820305.tif 000010
【図１０】
0003820305.tif 000011
【図１１】
0003820305.tif 000012
【図１２】
0003820305.tif 000013